(57)【要約】【課題】原稿に形成された地紋パターンを確実に且つ容易に複写することができる画像形成装置を提供する。【解決手段】画像形成装置は、２次元コードが形成された原稿の画像を読み取って、読み取った画像の画像データを受付部に供給する原稿読取部２０と、原稿読取部２０から供給された画像データに基づいて２次元コードを認識して、認識した２次元コードに含まれる第１情報及び第２情報を抽出する抽出部９５と、抽出部９５によって第１情報及び第２情報が抽出された場合に、第２情報に基づいて画像形成の設定を初期設定にして、原稿読取部２０から供給された画像データに基づく画像を用紙に形成するようエンジン部３を制御するエンジン制御部９４と、を備える。第１情報は、用紙に地紋パターンが形成されたことを示す情報である。第２情報は、地紋パターンが除去されることを禁止するための情報である。【選択図】図２
2013153311.tif 000002
【特許請求の範囲】
【請求項１】
被画像形成媒体に画像を形成するエンジン部と、
画像データを受け付ける受付部と、
被画像形成媒体に形成される地紋パターンを設定する地紋パターン設定部と、
被画像形成媒体に形成される情報画像であって、被画像形成媒体に地紋パターンが形成されたことを示す第１情報と、少なくとも複写がされる場合に地紋パターンが除去されることを禁止するための第２情報とを含む前記情報画像を設定する情報画像設定部と、
前記受付部によって受け付けられた画像データに基づく画像と、前記地紋パターン設定部によって設定された地紋パターンとを被画像形成媒体に形成する場合に、その画像と、その地紋パターンとに加えて、前記情報画像設定部によって設定された前記情報画像を被画像形成媒体に形成するよう前記エンジン部を制御するエンジン制御部と、
前記情報画像が形成された原稿の画像を読み取って、読み取った画像の画像データを前記受付部に供給する原稿読取部と、
前記受付部を介して前記原稿読取部から供給された画像データに基づいて前記情報画像を認識して、認識した前記情報画像に含まれる前記第１情報及び前記第２情報を抽出する抽出部と、を備え、
前記エンジン制御部は、前記抽出部によって前記第１情報及び前記第２情報が抽出された場合に、前記第２情報に基づいて画像形成の設定を初期設定にして、前記受付部を介して前記原稿読取部から供給された画像データに基づく画像を被画像形成媒体に形成するよう前記エンジン部を制御する
画像形成装置。
【請求項２】
前記受付部によって受け付けられた画像データを記憶する記憶部と、
前記抽出部によって抽出された前記情報画像に画像データを前記記憶部に記憶することを禁止する第３情報がさらに含まれる場合に、前記受付部を介して前記原稿読取部から供給された画像データを前記記憶部に記憶させない記憶制御部と、をさらに備える
請求項１に記載の画像形成装置。
【請求項３】
前記受付部によって受け付けられた画像データを外部に送信する送信部と、
前記抽出部によって抽出された前記情報画像に画像データを外部に送信することを禁止する第４情報がさらに含まれる場合に、前記受付部を介して前記原稿読取部から供給された画像データを、前記送信部を利用して外部に送信させない送信制御部と、をさらに備える
請求項１又は２に記載の画像形成装置。
【請求項４】
画像形成の前記設定は、原稿の裏の画像が被画像形成媒体に形成されることを防止する裏写り防止機能の設定、被画像形成媒体に形成される画像の濃度を調整する濃度調整機能の設定、及び、原稿の下地画像が被画像形成媒体に形成されることを防止する下地除去機能の設定である
請求項１から３のいずれか１項に記載の画像形成装置。
【請求項５】
前記情報画像は、２次元コードである
請求項１から４のいずれか１項に記載の画像形成装置。
【発明の詳細な説明】
【技術分野】
【０００１】
本発明は、原稿の画像を読み取って複写することが可能な画像形成装置に関する。
【背景技術】
【０００２】
原稿の画像を読み取って複写することが可能な画像形成装置には、例えば、コピー機及び複合機が挙げられる。ところで、例えば、原本と複写物とを区別する必要がある場合、及び原本の複写を禁止する目的の場合等には、地紋パターン（ウォーターマーク）が使用される場合が多い。
【０００３】
そして、画像形成装置には、地紋パターンが形成された原稿（原本）を複写する場合に、地紋パターンと共に原稿に形成されている２次元バーコードを読み取ることに基づいて、地紋パターンが原稿に形成されていると判断すると共に、原稿に形成された地紋パターンが確実に複写されるか否かを判断するものがある（特許文献１参照）。特許文献１に記載の画像形成装置は、原稿に形成された地紋パターンが確実に複写されないと判断した場合には、２次元バーコードに記録される情報に基づいて、原稿に形成された地紋パターンと同一の地紋パターンのデータを記憶部から読み出して、そのデータに基づく地紋パターンを用紙に形成するようになっている。
【先行技術文献】
【特許文献】
【０００４】
【特許文献１】特開２００６−２７９２３６号公報
【発明の概要】
【発明が解決しようとする課題】
【０００５】
しかしながら、特許文献１に記載された画像形成装置では、原稿に形成された地紋パターンと２次元バーコードに記録される情報とが１対１に対応しているため、原稿に形成された地紋パターンを確実に複写するためには、２次元バーコードに記録される情報と１対１に対応する地紋パターンのデータを記憶部に全て記憶させておかなければならない。このように、特許文献１に記載された画像形成装置は、全ての地紋パターンのデータを記憶部に記憶させるため、記憶部の記憶容量が少なくなり、また、地紋パターンの種類が増えた場合には、新しい地紋パターンのデータを記憶部に記憶させなければならず、手間が増える。
【０００６】
また、特許文献１に記載された画像形成装置は、原稿に形成された地紋パターンが確実に複写されないと判断するための処理にパターンマッチングを利用しているため、原稿に形成された地紋パターンと比較対象となる地紋パターンの全てとを比較しなければならず、処理等が複雑になり、また仕様も制限される。
【０００７】
本発明は、原稿に形成された地紋パターンを確実に且つ容易に複写することができる画像形成装置を提供することを目的とする。
【課題を解決するための手段】
【０００８】
本発明は、被画像形成媒体に画像を形成するエンジン部と、画像データを受け付ける受付部と、被画像形成媒体に形成される地紋パターンを設定する地紋パターン設定部と、被画像形成媒体に形成される情報画像であって、被画像形成媒体に地紋パターンが形成されたことを示す第１情報と、少なくとも複写がされる場合に地紋パターンが除去されることを禁止するための第２情報とを含む前記情報画像を設定する情報画像設定部と、前記受付部によって受け付けられた画像データに基づく画像と、前記地紋パターン設定部によって設定された地紋パターンとを被画像形成媒体に形成する場合に、その画像と、その地紋パターンとに加えて、前記情報画像設定部によって設定された前記情報画像を被画像形成媒体に形成するよう前記エンジン部を制御するエンジン制御部と、前記情報画像が形成された原稿の画像を読み取って、読み取った画像の画像データを前記受付部に供給する原稿読取部と、前記受付部を介して前記原稿読取部から供給された画像データに基づいて前記情報画像を認識して、認識した前記情報画像に含まれる前記第１情報及び前記第２情報を抽出する抽出部と、を備え、前記エンジン制御部は、前記抽出部によって前記第１情報及び前記第２情報が抽出された場合に、前記第２情報に基づいて画像形成の設定を初期設定にして、前記受付部を介して前記原稿読取部から供給された画像データに基づく画像を被画像形成媒体に形成するよう前記エンジン部を制御する画像形成装置に関する。
【発明の効果】
【０００９】
本発明によれば、原稿に形成された地紋パターンを確実に且つ容易に複写することができる画像形成装置を提供することができる。
【図面の簡単な説明】
【００１０】
【図１】画像形成装置の一実施形態に係るコピー機の全体構成を説明するための図である。
【図２】コピー機の機能構成を示すブロック図である。
【図３】用紙Ｔに画像を形成する場合のコピー機の動作について説明するためのフローチャートである。
【図４】画像と、地紋パターンと、２次元コードとが形成された用紙を複写する場合のコピー機の動作について説明するためのフローチャートである。
【発明を実施するための形態】
【００１１】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１２】
図１に示すように、本実施形態のコピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１３】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１４】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１５】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１６】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１７】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００１８】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００１９】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２０】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２１】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０により、用紙Ｔに画像を形成するエンジン部３が構成される。なお、図１を用いて説明した構成要素については、その説明を省略する。
さらに、コピー機１は、上述した機能構成に加えて、操作部７０と、記憶部８０と、送信部１００と、制御部９０とを備える。
【００２２】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００２３】
記憶部８０は、ハードディスク及び半導体メモリー等から構成される。記憶部８０（ハードディスク）は、原稿読取部２０によって読み取られた原稿Ｇに基づく画像データ（後述する受付部９１によって受け付けられた画像データ）を記憶することが可能である。また、記憶部８０は、コピー機１において利用される制御プログラム、及びこの制御プログラムによって利用されるデータ等を記憶する。
【００２４】
送信部１００は、原稿読取部２０によって読み取られた画像に対応する画像データを外部に送信することが可能である。具体的には、送信部１００は、原稿読取部２０から受付部９１に供給されて、その受付部９１によって受け付けられた画像データを、後述する送信制御部９７の制御に基づいて、外部に送信することが可能である。送信部１００は、インターフェイス部を構成する。
【００２５】
制御部９０は、原稿搬送部１０、原稿読取部２０、エンジン部３、操作部７０等を制御する。
また、制御部９０は、受付部９１と、地紋パターン設定部９２と、情報画像設定部９３と、エンジン制御部９４と、抽出部９５と、記憶制御部９６と、送信制御部９７と、を備える。
【００２６】
受付部９１は、画像データを受け付ける。すなわち、受付部９１は、原稿読取部２０から出力された画像データを受け付ける。また、受付部９１は、コピー機１の外部に配置されるパーソナルコンピューター（図示せず）等から送信され、インターフェイス部（図示せず）によって受信された画像データを受け付ける。
【００２７】
地紋パターン設定部９２は、用紙Ｔに形成される地紋パターンを設定する。地紋パターンは、例えば、サイズの異なる２種類のドットから構成される。地紋パターンが形成された原稿Ｇがコピーされた場合の複写物では、サイズの小さなドットの部分が白抜きされ、サイズの大きなドットの部分が残ることにより、地紋パターンが浮かび上がるようになっている。地紋パターンには複数の種類があるため、地紋パターン設定部９２は、例えば、ユーザーによって複数の地紋パターンのうちの１つが選択された場合、選択された地紋パターンを用紙Ｔに形成する地紋パターンとして設定する。
【００２８】
情報画像設定部９３は、用紙Ｔに形成される情報画像であって、用紙Ｔに地紋パターンが形成されたことを示す第１情報と、少なくとも複写がされる場合に地紋パターンが除去されることを禁止するための第２情報とを含む情報画像を設定する。情報画像は、例えば、１次元コード（１次元バーコード）、又は２次元コード（２次元バーコード）である。情報画像が２次元コードの場合には、１次元コードの場合に比べて、情報画像に含ませることのできる情報量がより多くなる。このため、情報画像として２次元コードを利用することがより好ましい。以下では、情報画像を２次元コードとして説明する。
【００２９】
第１情報は、画像データに基づく画像と共に地紋パターンが用紙Ｔに形成される場合に、その用紙Ｔに地紋パターンが形成されていることを示す情報である。これにより、画像データに基づく画像と、地紋パターンと、第１情報を含む２次元コードとが用紙（原稿Ｇ）に形成されている場合、コピー機１は、その２次元コードを読み取ると、２次元コードに含まれる第１情報に基づいて、用紙（原稿Ｇ）に地紋パターンが形成されていると判断する。
【００３０】
また、画像と、地紋パターンと、２次元コードとが形成されている用紙（原稿Ｇ）をコピーする場合、コピー機１に搭載される、裏写り防止機能、濃度調整機能及び下地除去機能のうち少なくとも１つの設定がユーザーによって操作されると、複写物に地紋パターンが形成されない可能性がある。第２情報は、このような機能の設定が操作されることにより、複写物に地紋パターンが形成されないような状態を回避するための情報である。そして、第２情報が含まれる２次元コードが用紙（原稿Ｇ）に形成されている場合、コピー機１は、その２次元コードを読み取ると、２次元コードに含まれる第２情報に基づいて、裏写り防止機能、濃度調整機能及び下地除去機能それぞれの設定を初期設定にする。
【００３１】
また、画像情報設定部は、第１情報及び第２情報に加えて、第３情報及び第４情報の少なくとも一方を含む２次元コードを設定することが可能である。
第３情報は、画像データを記憶部８０に記憶することを禁止する情報である。画像と、地紋パターンと、第３情報が含まれる２次元コードとが形成されている用紙（原稿Ｇ）の画像が原稿読取部２０によって読み取られた場合に、コピー機１は、その第３情報に基づいて、原稿読取部２０において読み取られた画像に対応する画像データを記憶部８０に記憶させない。
【００３２】
第４情報は、画像データを外部に送信することを禁止する情報である。画像と、地紋パターンと、第４情報が含まれる２次元コードとが形成されている用紙（原稿Ｇ）の画像が原稿読取部２０によって読み取られた場合に、コピー機１は、その第４情報に基づいて、原稿読取部２０において読み取られた画像に対応する画像データを外部に配置されるパーソナルコンピューター（図示せず）等に送信させない。
【００３３】
なお、情報画像設定部９３は、ユーザーによる選択に基づいて、第２情報、第３情報及び第４情報のうちのいずれかを２次元コードに含ませる情報として設定する。
【００３４】
抽出部９５は、受付部９１を介して原稿読取部２０から供給された画像データに基づいて２次元コードを認識して、認識した２次元コードに含まれる第１情報及び第２情報を抽出する。すなわち、抽出部９５は、受付部９１によって画像データが受け付けられた場合、その画像データに２次元コードが含まれるか否かを判断し、画像データに２次元コードが含まれると判断すると、その２次元コードを認識する。さらに、抽出部９５は、認識した２次元コードに含まれる第１情報及び第２情報を抽出する。また、抽出部９５は、２次元コードを認識した場合、認識した２次元コードに含まれる第３情報及び第４情報を抽出する。
【００３５】
エンジン制御部９４は、受付部９１によって受け付けられた画像データに基づく画像と、地紋パターン設定部９２によって設定された地紋パターンとを用紙Ｔに形成する場合に、その画像と、その地紋パターンとに加えて、情報画像設定部９３によって設定された２次元コードを用紙Ｔに形成するようエンジン部３を制御する。
【００３６】
すなわち、エンジン制御部９４は、画像データに基づく画像と共に地紋パターンが用紙Ｔに形成される場合には、第１情報と第２情報とを含む２次元コードも用紙Ｔに形成するようエンジン部３を制御する。また、エンジン制御部９４は、第１情報と、第２情報、第３情報第及び４情報のうち少なくとも１つの情報とを含む２次元コードも用紙Ｔに形成するようエンジン部３を制御することが可能である。これにより、エンジン部３は、画像データに基づく画像と、地紋パターンと、２次元コードとを用紙Ｔに形成する。
なお、２次元コードは、用紙Ｔの余白に形成される。また、エンジン部３によって複数の用紙Ｔに画像と地紋パターンとが形成される場合、２次元コードは、複数の用紙Ｔ間で同一の位置に形成されることが好ましい。
【００３７】
また、エンジン制御部９４は、抽出部９５によって第１情報及び第２情報が抽出された場合に、第２情報に基づいて画像形成の設定を初期設定にして、受付部９１を介して原稿読取部２０から供給された画像データに基づく画像を用紙Ｔに形成するようエンジン部３を制御する。すなわち、エンジン部３によって画像データに基づく画像と、地紋パターンと、２次元コードとが形成された用紙（原稿Ｇ）を複写する場合、エンジン制御部９４は、抽出部９５によって読み取られた第２情報に基づいて、地紋パターンを除去することが可能な機能の設定を初期設定にする。そして、エンジン制御部９４は、その機能の初期設定に基づいて、画像と、地紋パターンと、２次元コードとを用紙Ｔに形成するようにエンジン部３を制御する。
【００３８】
上述した画像形成の設定は、裏写り防止機能の設定、濃度調整機能の設定、及び下地除去機能の設定である。裏写り防止機能は、原稿の裏の画像が用紙Ｔに形成されることを防止する機能である。そして、裏写り防止機能の初期設定は、裏写りを防止しない設定である。また、濃度調整機能は、用紙Ｔに形成される画像の濃度を調整する機能である。そして、濃度調整機能の初期設定は、濃度が中間濃度（淡くもなく且つ濃くもない濃度）となる設定である。下地除去機能は、原稿の下地画像が用紙Ｔに形成されることを防止する機能である。そして、下地除去機能の初期設定は、下地を除去しない設定である。
【００３９】
記憶制御部９６は、抽出部９５によって抽出された２次元コードに第３情報がさらに含まれる場合に、受付部９１を介して原稿読取部２０から供給された画像データを記憶部８０（ハードディスク）に記憶させない。すなわち、エンジン部３によって画像データに基づく画像と、地紋パターンと、２次元コードとが形成された用紙（原稿Ｇ）を原稿読取部２０によって読み取った場合、記憶制御部９６は、抽出部９５によって読み取られた第３情報に基づいて、原稿読取部２０によって読み取られた画像に基づく画像データを記憶部８０（ハードディスク）に記憶させない。
【００４０】
送信制御部９７は、抽出部９５によって抽出された２次元コードに第４情報がさらに含まれる場合に、受付部９１を介して原稿読取部２０から供給された画像データを、送信部１００を利用して外部に送信させない。すなわち、エンジン部３によって画像データに基づく画像と、地紋パターンと、２次元コードとが形成された用紙（原稿Ｇ）を原稿読取部２０によって読み取った場合、送信制御部９７は、抽出部９５によって読み取られた第４情報に基づいて、原稿読取部２０によって読み取られた画像に基づく画像データを外部に配置されるパーソナルコンピューター（図示せず）等に送信させない。
【００４１】
次に、本実施形態におけるコピー機１の動作について説明する。まず、用紙Ｔに画像を形成する場合のコピー機１の動作について説明する。図３は、用紙Ｔに画像を形成する場合のコピー機１の動作について説明するためのフローチャートである。
【００４２】
ステップＳＴ１１において、受付部９１は、原稿読取部２０から送信された画像データ、又はインターフェイス部（図示せず）によって受信された画像データを受け付ける。
【００４３】
ステップＳＴ１２において、地紋パターン設定部９２は、例えば、ユーザーによって複数の地紋パターンのうちの１つが選択された場合、選択された地紋パターンを用紙Ｔに形成する地紋パターンとして設定する。
【００４４】
ステップＳＴ１３において、情報画像設定部９３は、第１情報及び第２情報を少なくとも含む２次元コードを設定する。
【００４５】
ステップＳＴ１４において、エンジン制御部９４は、ステップＳＴ１１によって受け付けられた画像データに基づく画像と、ステップＳＴ１２によって設定された地紋パターンと、ステップＳＴ１３において設定された２次元コードとを用紙Ｔに形成するようエンジン部３を制御する。
ステップＳＴ１４の後、処理は、終了する。
【００４６】
次に、画像と、地紋パターンと、２次元コードとが形成された用紙（原稿Ｇ）を複写する場合のコピー機１の動作について説明する。図４は、画像と、地紋パターンと、２次元コードとが形成された用紙（原稿Ｇ）を複写する場合のコピー機１の動作について説明するためのフローチャートである。
【００４７】
ステップＳＴ２１において、原稿読取部２０は、２次元コードが形成された原稿Ｇの画像を読み取って、読み取った画像の画像データを受付部９１に供給する。すなわち、原稿読取部２０は、画像と、地紋パターンと、２次元コードとが形成された原稿Ｇの画像を読み取る。さらに、原稿読取部２０は、原稿Ｇの画像を読み取ると、その画像に対応する画像データを受付部９１に供給する。
【００４８】
ステップＳＴ２２において、受付部９１は、原稿読取部２０から供給された画像データを受け付ける。
【００４９】
ステップＳＴ２３において、抽出部９５は、ステップＳＴ２２において受け付けられた画像データから２次元コードの情報を抽出できたか否かを判断する。すなわち、抽出部９５は、受付部９１によって受け付けられた画像データに基づいて２次元コードを認識できた場合、認識した２次元コードに含まれる情報（第１情報及び第２情報）を抽出する。２次元コードの情報を抽出できた場合には、処理は、ステップＳＴ２４に進む。２次元コードの情報を抽出できなかった場合には、処理は、ステップＳＴ２５に進む。
【００５０】
ステップＳＴ２４において、エンジン制御部９４は、ステップＳＴ２３によって抽出された第２情報に基づいて、地紋パターンを除去することが可能な機能それぞれの設定を初期設定にする。さらに、エンジン制御部９４は、それぞれの機能の初期設定に基づいて、エンジン部３によって、画像と、地紋パターンと、２次元コードとを用紙Ｔに形成させる。
【００５１】
ステップＳＴ２５において、エンジン制御部９４は、地紋パターンを除去することが可能な設定を変更することなく、ユーザーの操作に基づく設定を維持して、エンジン部３によって画像等を用紙Ｔに形成させる。
ステップＳＴ２４又はステップＳＴ２５の後、処理は、終了する。
【００５２】
以上説明したように、本実施形態のコピー機１によれば、以下の効果が奏される。
すなわち、本実施形態のコピー機１は、画像と、地紋パターンと、２次元コードとが形成された用紙（原稿Ｇ）を複写する場合、受付部９１を介して原稿読取部２０から供給された画像データに基づいて２次元コードを認識して、認識した２次元コードに含まれる第１情報及び第２情報を抽出し、第２情報に基づいて画像形成の設定を初期設定にして、受付部９１を介して原稿読取部２０から供給された画像データに基づく画像を用紙Ｔに形成する。これにより、コピー機１は、原稿Ｇに形成された地紋パターンを確実に複写することができる。
【００５３】
また、コピー機１は、原稿Ｇに形成された地紋パターンを複写する場合、画像形成の設定を初期設定にするだけなので、従来技術のように地紋パターンのデータを記憶部に記憶させたり、パターンマッチングを行ったりする必要がない。よって、コピー機１は、原稿Ｇに形成された地紋パターンを容易に複写することができる。
【００５４】
また、コピー機１は、２次元コードに第３情報が含まれる場合に、受付部９１を介して原稿読取部２０から供給された画像データを記憶部８０に記憶させない。これにより、コピー機１は、記憶部８０に記憶された画像データに基づく画像が用紙Ｔに形成されることはないので、原稿Ｇが容易に複製されることを防ぐことができる。
【００５５】
また、コピー機１は、２次元コードに第４情報が含まれる場合に、受付部９１を介して原稿読取部２０から供給された画像データを、送信部１００を利用して外部に送信させない。これにより、コピー機１は、外部に送信された画像データに基づく画像が用紙Ｔに形成されることはないので、原稿が容易に複製されることを防ぐことができる。また、コピー機１は、原稿Ｇに基づく画像データが外部に送信されることがないので、原稿Ｇの機密性を高めることができる。
【００５６】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００５７】
また、本発明の画像形成装置は、上述したコピー機１に限定されることはない。すなわち、本発明の画像形成装置は、コピー機能、ファクシミリ機能、プリンター機能及びスキャナー機能を備える複合機であってもよく、ファクシミリやプリンターであってもよい。
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。
【符号の説明】
【００５８】
１…コピー機（画像形成装置）、３…エンジン部、１０…原稿搬送部、２０…原稿読取部、８０…記憶部、９１…受付部、９２…地紋パターン設定部、９３…情報画像設定部、９４…エンジン制御部、９５…抽出部、９６…記憶制御部、９７…送信制御部、１００…送信部
【図１】
2013153311.tif 000003
【図２】
2013153311.tif 000004
【図３】
2013153311.tif 000005
【図４】
2013153311.tif 000006